(57)【要約】本発明は、特に転てつ器の形状をなし、軌道部分に沿って互いに異なる断面形状を有する軌道部分のための支承装置に関する。この支承装置は、それぞれリブ付きプレートを備えた複数の支持ポイントを含む。これに加えて、リブ付きプレートとこれと共働する鉄道のまくら木との間に配置された弾性材料よりなる中間層をなす中間プレート（２４）を含む。本発明によれば、軌道部分に沿って同一の沈降を得るために、各々又は実質的に各々の支持ポイントが、それから解放ないしクリヤーされたレール部分を考慮して、同一の最大沈降を有する。【選択図】図１
2004510081.tif 000002
【特許請求の範囲】
【請求項１】
軌道部分に沿ってその断面形状が互いに異なる、特に転てつ器の形状を有する軌道部分のために、スライド床プレートあるいは支持フレームをオプションとして有するリブ付きプレート等のベースプレートと、まくら木やコンクリート製プレートなどの支持体とベースプレートとの間に配置される弾性材料からなる中間プレートを備えた複数の支持ポイントを含む軌道部分の支承装置であって、
前記各支持ポイント又は実質的に各々の支持ポイントが、それから解放されたレール部分を考慮して、同一の最大沈降を有することを特徴とする支承装置。
【請求項２】
同一の抵抗モーメントを有するレール部分のための支持ポイントは、同一の負荷解放面を備えた弾性中間プレート（２４）を有することを特徴とする請求項１に記載の支承装置。
【請求項３】
異なる抵抗モーメントを有するレール部分のための支持ポイントは、異なる剛性を備えた中間プレート（２４，７２，１２０）を有することを特徴とする請求項１又は２に記載の支承装置。
【請求項４】
中間プレート（２４，７２，１１６）は、その中央部において、長手方向の端縁に沿って骨形状の凹所（３８，４０，４２，４４，７８，８０，８２，８４，１２２，１２４）を有することを特徴とする前記請求項の少なくとも１つに記載の支承装置。
【請求項５】
中間プレート（２４，７２，１１６）の少なくとも長手軸線（５８，８６，１３４）に対して対称の位置に凹所（３８，４０，４２，４４，７８，８０，８２，８４，１２２，１２４）が配置されてなることを特徴とする前記請求項の少なくとも１つに記載の支承装置。
【請求項６】
中間プレート（２４，７２）の長手軸線（５８，８６）及び横方向に沿う軸線（６４，８８）の両方の軸線に対して対称位置に凹所（３８，４０，４２，４４，７８，８０，８２，８４）が配置されてなることを特徴とする前記請求項の少なくとも１つに記載の支承装置。
【請求項７】
骨形状の凹所（３８，４０，４２，４４，７８，８０，８２，８４，１２２，１２４）の各々は、長さがｌａであり、横方向に沿う軸線（６４，８８）に対して平行な列に配置された凹所の距離ｌｚは、
１．１×ｌａ≦ｌｚ≦１．５×ｌａ
の範囲にあることを特徴とする前記請求項の少なくとも１つに記載の支承装置。
【請求項８】
骨形状の凹所（３８，４０，４２，４４，７８，８０，８２，８４）は、通常の車輪負荷の状態で、下側の中間プレートの支承面（３４，７６）から離間した中間プレート（２４，７２）の連続部分（３６，７４）によって制限されることを特徴とする前記請求項の少なくとも１つに記載の支承装置。
【請求項９】
中間プレート（２４，２２）は、骨形状の凹所（７８，８０，８２，８４，１２２，１２４）に隣接したそれぞれの横方向端部領域においてＵ字形凹所（８６，８８，１２６）を更に有し、該Ｕ字形凹所の長手方向に沿う長さ部分は、骨形状の凹所の長さｌａに対応する最大幅を有することを特徴とする前記請求項の少なくとも１つに記載の支承装置。
【発明の詳細な説明】
【０００１】
【発明の属する技術分野】
本発明は、軌道部分に沿って、その断面形状が互いに異なる、特に転てつ器の形状を有する軌道部分のための支承装置に係り、リブ付きプレート、舌根状プレートやスライド床プレートあるいは支持フレームを有するリブ付きプレートなどのベースプレート、及びまくら木やコンクリート製プレートなどの支持体とベースプレートとの間に配置される弾性材料よりなる中間プレートを備えた複数の支持ポイントを含む構成の支承装置に関する。
【０００２】
【従来の技術及び発明が解決しようとする課題】
鉄道の上部構造をなす路盤の所定の弾性を確保し、同時にボディ音の減少を得るために、軌道を支承するリブ付きプレートなどのベースプレートと、まくら木やコンクリート製プレートなどの支持体との間に弾性中間プレートが配設され、該中間プレートは砕石路床構造及び堅い路床構造の双方の場合に用いられる。この弾性中間プレートは、ベースプレートの支承面に依存しておおむね線形をなすバネ剛性を有するＰＵ発砲材などの多孔性エラストマーより構成し得る。特に転てつ器（ポイント）の領域における軌道に沿う支持ポイントは、転てつ器（ポイント）の開始部あるいは終端部に位置するか否かに依存して種々の剛性を有する。
【０００３】
偏倚（デフレクション）曲線は、軌道を通過する車輪についてレール内に生じる。この偏倚曲線は、その上の車輪負荷が解消されたレールの慣性や抵抗モーメント、及び中間プレートの弾性により影響される可能性のある支持ポイントのばね剛性に主として依存する。支持ポイントの、リブ付きプレートなどのベースプレートのサイズないし大きさは、通常、車輪負荷がベースプレートの変形なしに伝達されるように設定される。
【０００４】
従って、車輪負荷と沈降（ｓｕｂｓｉｄｅｎｃｅ）の商からなる軌道のばね剛性は、軌道において、ポイントあるいはクロッシングのそれとは相違する。
【０００５】
弾性中間プレートを備えた構造は、ドイツ特許公開第１９８２３８１２号に示され、これは一部品構成の加硫ゴム材よりなり、基本的に平坦な表面と種々異なる性質をもつ複数の領域に分かれた下側部分より構成されている。
【０００６】
ドイツ特許公開第３２３０５６５号には、溶接によって連結された複数のプレートよりなる転てつ器構造のためのレールベース構造が開示されている。
【０００７】
ドイツ実用新案第２９８０７７９１号により公知の軌道部分のための支承装置は、支持端側で切出された複数の突起を有し、これら突起は通常の力の導入の間に支持面から離間した状態にある。
【０００８】
本発明の目的は、特に転てつ器の形状をなす、断面形状が互いに異なるレール部分を有する軌道部分において、ポイントやクロッシングなどの領域における偏倚（デフレクション）曲線が通常の軌道のものと同様となるように、同様の軌道条件を得ることができるようにした軌道部分のための支承装置を提供することにある。
【０００９】
【課題を解決するための手段及び発明の効果】
本発明においては、軌道部分の各支持ポイントあるいは実質的に各々の支持ポイントが、それから解放されたレール部分を考慮して、同じ最大沈降（ｓｕｂｓｉｄｅｎｃｅ）を有する構成により、上記目的が達成される。すなわち、中間プレートは、ベースプレート上に支持されたレール部分あるいは、それに支持されたレール部分によって規定される抵抗モーメントに関して、車輪が軌道部分を走行するときに各支持ポイントにおいて軌道部分に沿って同一又は実質的に同一の最大沈降を結果として生じるように設定される。
【００１０】
特に、同じ抵抗モーメントを有するレール部分につき予定される支持ポイントのために、それぞれの中間プレートが該中間プレートに面するベースプレートの負荷解放床面とは独立したベースプレートの解放の面延長部を有する。換言すれば、同じ解放面を常に有する弾性中間プレートが、その面延長部とは独立してベースプレートの下方に延出する。
【００１１】
本発明の他の具体的構成において、車輪負荷がないとき、中間プレートが支持体に対してベースプレートをその前端部分で支える。
【００１２】
中間プレート自体は、その中央部分に、長手方向の端縁に沿って骨形状の複数の凹所を有し、これら凹所は横方向の軸線に対し、又特に中間プレートの長手軸線に対して対称の位置に配置される。
【００１３】
該凹所の形状は以下のように設定されるのが望ましい。すなわち、各凹所はベースの横方向軸線に平行な長さｌａを有するとすると、該横方向軸線に平行な一列内に配置された２つの凹所間隔ｌｚは、
１．１×ｌａ≦ｌｚ≦１．５×ｌａの範囲に設定される。凹所は中間プレートの連続した部分によって制限ないし区切られる。この連続部分は通常の許容される車輪負荷の場合に、端縁方向に沿いベースプレートを支持する中間プレートの部分の自由な外面に関してセットバックの態様で延出する。これにより、許容値を超えた負荷がかかった場合にも、ベースプレートから延出したレール部分の下方でベースプレートを直接、確実に支承することができる。
【００１４】
又、本発明においては、骨形状の凹所に隣接した各横方向の端縁領域において中間プレートにＵ字形の凹所が更に設けられる。この凹所は長手方向に沿って、それぞれの端縁側の凹所の長さに対応する最大幅を有する。
【００１５】
本発明の更なる詳細、利点及び特徴は以下、図面を参照して説明される本発明の実施の形態から理解されるであろう。
【００１６】
【発明の実施の形態】
図においては、転てつ器に沿って配置された支持ポイントの種々の構成部材が示されているが、本発明は図示の構成に限定されるものではない。むしろ本発明は、支持されたレール部分を有する支持ポイントが、互いに偏倚し異なった抵抗モーメントを有する軌道部分に対して全般的に適用される。しかし、本発明によれば、同じ負荷を有する車輪が支持ポイントを通って走行するときに各支持ポイントに同一の最大の沈降を結果として生じる構成を特徴とする。本発明においては上記構成を達成させるために、まくら木やコンクリート製プレート等の支持体とリブ付きプレートとの間に矩形状の弾性中間プレートを配設したものであり、この弾性中間プレートは、同一の最大の沈降（ｓｕｂｓｉｄｅｎｃｅ）を確実にするために、基本レールないしストックレールや先端レールないしトングレールなどのリブ付きプレート上に支持されたレール部分の抵抗モーメントに基づき好適に設計される。これにより、リブ付きプレートは、車輪負荷がリブ付きプレートの変形を生じさせることなく経過するようにリブ付きプレートのサイズが設定される。又、抵抗モーメントは本発明の実施のために中間プレートを設計する際にも考慮し得る。
【００１７】
図１に示すリブ付きプレート１０は、例えば転てつ器の開始部に配置される。このリブ付きプレート１０に図示しない基本レールないしストックレールが固定されるとともに複数のリブ１２，１４，１６，１８の間に延出するとともに図示しない緊張止め金具によって保持される。リブ付きプレート１０自体はまくら木やコンクリート製プレートなどの支持体に開口２０，２２に挿着されるネジによって連結される。
【００１８】
リブ付きプレート１０は、その底部ないし下側に弾性材料からなる弾性中間プレート２４を備える。この中間プレート２４は図３乃至５の断面図で示すように、リブ付きプレート１０の端部及び底部を完全に囲って覆っている。この中間プレート２４とリブ付きプレート１０の接続は加硫の処理によりなされる。
【００１９】
図３，４に示すように、リブ付きプレート１０は、中間プレート２４の前端部２６，２８により支持されている。このリブ付きプレート１０に負荷がかかっていないとき、あるいは通常の車輪負荷から解放されクリヤーされているとき、前記前端部の間の部分３２が、中間プレート２４の支承面３４から離間した状態にある。この支承面３４は、まくら木やコンクリート製プレートなどの支持体の表面あるいは該中間プレート２４を直接支持するプレートの面に対応する。しかし、この点は公知の構成である。
【００２０】
前記部分３２は、図２で示すように、中央部３６及び凹所３８，４０，４２，４４の間に延出して形成された部分４６，４８，５０，５２よりなり、これら全体により部分３２が構成されている。更に、図２の底面図に示すように部分３２と前端部２８，３０の間において、中間プレート２４の長手軸線５８に対し横方向に沿い矩形状の凹所６０，６２が設けられている。
【００２１】
部分３２の端部領域に設けられた４つの凹所３８，４０，４２，４４は図２からも明らかなごとく、それぞれ骨形状をなすとともに長手軸線５８及び横方向軸線６４に対して、それぞれ２つずつ対を成して対称の位置に配置されている。
【００２２】
凹所３８，４０，４２，４４，６０，６２によって中間プレート２４の全体的な支持面が形成され、リブ付きプレート１０によって与えられる支持ポイントの最大の沈降が所望値となる剛性が得られる。該所望値は、レール部分の抵抗モーメントあるいは慣性が図１乃至５の構成とは異なる場合でも、支持ポイントの領域における支持体により特性値として予め決定される。従って、上部構造の抵抗モーメントが増大した場合に、対応する中間プレートの剛性を、最大支持面を減少させるか、あるいは他の弾性を有する中間プレート材料を用いることによって、減少させることができる。
【００２３】
換言すれば、本発明によれば、支持レール部分の抵抗モーメントの増大に伴って中間プレートはより柔軟に構成される。
【００２４】
図６乃至９に示す他の実施形態において、リブ付きプレート６６が、一体化されたスライド床プレート６８をオプションとして有する態様で示されており、その下側及び端縁に沿って弾性中間プレート７２が配置されている。該中間プレート７２は負荷がないか通常の負荷の場合に、主としてその周辺領域において、リブ付きプレート６６を支持する。他方、連続部分をなす中央部分７４はベース７６から離間した状態で延出する。
【００２５】
図１乃至５の実施形態と同様に、中央部分７４は、骨形状の凹所７８，８０，８２，８４を規定し、これら凹所は、中間プレート７２の長手軸線８６及び横方向に沿う軸線８８に対して対称位置に配置されている。端縁側にはＵ字形の凹所８６，８８が設けられ、これらは、実際上２つのＵ字形をなすベース部分９０，９２と、これらと離間したＬ字形部分９４，９６，１００，１０２とよりなる。これらＬ字形の部分の一側部分１０４，１０６，１０８，１１０は横方向の軸線８８と平行をなすとともに、中間プレート７２の横方向軸線８８に対して平行な凹所７８，８０，８２，８４に対応する延長部を有する。凹所７８，８０，８２，８４，８６，８８は中間プレート７２の中央部分７４により区切られて制限されており、この態様は、図７の平面図及び図８，９の断面図に示されている。
【００２６】
図１乃至５に示す凹所３８，４０，４２，４４と同様に、横方向の軸線８８の近傍に配置された内側の凹所７８，８０，８２，８４は骨形状を有する。従って、これら凹所７８，８０，８２，８４の間にある中間プレート７２の部分は図７の平面図で見るように円形状となっている。同様の形状がＬ字形の凹所９４，９６，１００，１０２とこれに隣接する凹所７８，８０，８２，８４の間の中間プレート７２の部分にも生じている。
【００２７】
骨形状を有する凹所７８，８０，８２，８４ないしは横方向の軸線８８に対して平行な一側部分１０４，１０６，１０８，１１０は長さｌａを有し、これは凹所７８，８２又は８０，８４の間の離間距離ｌｚよりも小さい。距離ｌｚは凹所の長さｌａよりも約２０〜５０％大きい。
【００２８】
リブ付きプレート１０に固定された基本レールの抵抗モーメントに比してスライド床プレート６８を備えたリブ付きプレート６６上に支持された基本レール及びトングレールのレール部分の抵抗モーメントが大きいために、中間プレート７２の剛性は図２に示す中間プレート２４よりも小さい。
【００２９】
もし、支持ポイントにおけるレール部分の抵抗モーメントが大きい場合、これに応じて中間プレートの剛性が更に減少する。これが図１０乃至１３の更なる実施形態に示されている。ここにおいて、支持フレーム１１４をオプションとして有するリブ付きプレート１１２が示され、これからガイドレールが延出する。換言すれば、リブ付きプレート１１２はフロッグの領域に配置されている。図１乃至９に示す実施形態と同様に、中間プレート１１６が設けられ、該中間プレート１１６は、リブ付きプレート１１４をその周縁（図１０に示す中間プレートの端縁１１８）で取り囲むとともにリブ付きプレート１１２の下側に沿って延出している。中間プレート１１６の周縁１１８，１２０を介してリブ付きプレート１１２は通常は解放ないしクリヤーされている。リブ付きプレート１１２の中央領域には骨形状の凹所１２２，１２４ならびにＵ字形の凹所１２６，１２８がそれぞれ設けられている。Ｕ字形凹所１２６，１２８は図７に示す凹所８６，８８に相当する。骨形状の凹所１２２，１２４は前述の実施形態のものと同形状であり、中間プレート１１６の長手軸線１３４に対して対称の構成となっている。中間プレート１１６の連続部分をなす中央の部分１３６は、凹所１２２，１２４，１２６，１２８，１３０，１３２の間に延長し、リブ付きプレート１１２上に作用する通常の車輪負荷の場合に、端縁側の部分１１８，１２０に関してオフセットした態様を呈する。これが図１２，１３の断面図で示されている。
【００３０】
しかし、これとは独立して、中間プレート１１６の剛性は、リブ付きプレート１１２により定められた支持ポイントを通過する車輪の最大の沈降がリブ付きプレート１０，６６を含む支持ポイントに対応ないし相当するように選定される。
【図面の簡単な説明】
【図１】
リブ付きプレートを有する本発明の一実施形態の平面図である。
【図２】
図１に示すリブ付きプレートの底面図である。
【図３】
図１のＡ−Ａ線に沿う断面図である。
【図４】
図１のＢ−Ｂ線に沿う断面図である。
【図５】
図１のＣ−Ｃ線に沿う断面図である。
【図６】
スライド床プレートを備えたリブ付きプレートを有する本発明の他の実施形態の平面図である。
【図７】
図６に示すリブ付きプレートの底面図である。
【図８】
図７のＡ−Ａ線に沿う断面図である。
【図９】
図７のＢ−Ｂ線に沿う断面図である。
【図１０】
支持フレームを備えたリブ付きプレートを有する本発明の更に他の実施形態の平面図である。
【図１１】
図１０に示すリブ付きプレートの底面図である。
【図１２】
図１１のＡ−Ａ線に沿う断面図である。
【図１３】
図１１のＢ−Ｂ線に沿う断面図である。
【国際公開パンフレット】
2004510081.tif 000003
2004510081.tif 000004
2004510081.tif 000005
2004510081.tif 000006
2004510081.tif 000007
2004510081.tif 000008
2004510081.tif 000009
2004510081.tif 000010
2004510081.tif 000011
2004510081.tif 000012
2004510081.tif 000013
2004510081.tif 000014
2004510081.tif 000015
2004510081.tif 000016
2004510081.tif 000017
2004510081.tif 000018
2004510081.tif 000019
2004510081.tif 000020
2004510081.tif 000021
2004510081.tif 000022
【手続補正書】
【提出日】平成14年12月13日(2002.12.13)
【手続補正１】
【補正対象書類名】明細書
【補正対象項目名】特許請求の範囲
【補正方法】変更
【補正の内容】
【特許請求の範囲】
【請求項１】
軌道部分に沿ってその断面が互いに異なる、特に転てつ器の形状を有する軌道部分のために、スライド床プレートあるいは支持フレームをオプションとして有するリブ付きプレート等のベースプレート（１０）と、まくら木やコンクリート製プレートなどの支承面（３４）を有する支持体とベースプレート（１０，６６，６８，１１２，１１４）との間に配置され弾性材料からなる矩形状の中間プレート（２４，７２，１１６）を備えた複数の支持ポイントを含み、前記中間プレートは軌道部分の長手方向に沿う横方向端縁と軌道部分の横方向に沿う長手方向端縁とを有し、前記各支持ポイント又は実質的に各々の支持ポイントが、それから解放されたレール部分を考慮して、該支持ポイント上に支持された軌道部分の抵抗モーメントと中間プレートのばね剛性の調整によって支持体により同一の最大の沈降を有するものにおいて、
前記中間プレート（２４，７２，１１６）は、端縁側で該ベースプレートを取り囲むとともに該支承面（３４）上で該ベースプレートを支持する第１の部分と、負荷がないか、あるいは通常の車輪負荷から解放されたベースプレートの状態のときに該支承面から離間するとともに該第１の部分内にある第２の部分（３２）とを有し、前記第２の部分は骨形状の複数の凹所（３８，４０，４２，４４，７８，８０，８２，８４，１２２，１２４）を有し、これら凹所は該中間プレートの中央部分において該中間プレートの長手軸線に対して対称に各長手方向端縁から延出するとともに、負荷がないか、あるいは通常の車輪負荷から解放されたベースプレートの状態のときに該支承面から離間した中間プレートの第３の部分（３４，７６）によって区切られてなることを特徴とする軌道部分の支承装置。
【請求項２】
中間プレート（２４，７２）の長手軸線（５８，８６）及び軌道部分の方向に沿う横方向の軸線（６４，８８）の両方の軸線に対して対称位置に凹所（３８，４０，４２，４４，７８，８０，８２，８４）が配置されてなることを特徴とする請求項１に記載の支承装置。
【請求項３】
骨形状の凹所（３８，４０，４２，４４，７８，８０，８２，８４，１２２，１２４）の各々は、長さがｌａであり、横方向に沿う軸線（６４，８８）に対して平行な列に配置された凹所の距離ｌｚは、
１．１×ｌａ≦ｌｚ≦１．５×ｌａ
の範囲にあることを特徴とする請求項１又は２に記載の支承装置。
【請求項４】
中間プレート（２４，２２）は、骨形状の凹所（７８，８０，８２，８４，１２２，１２４）に隣接したそれぞれの横方向端部領域においてＵ字形凹所（８６，８８，１２６）を更に有し、該Ｕ字形凹所の長手方向に沿う長さ部分は、骨形状の凹所の長さｌａに対応する最大幅を有することを特徴とする請求項１乃至３のいずれか１つに記載の支承装置。
【請求項５】
同一の抵抗モーメントを有するレール部分のための支持ポイントは、同一の負荷解放面を備えた弾性中間プレート（２４）を有し、該負荷解放面の延長部は、中間プレートに対面するベースプレートの負荷解放された床面とは独立してなることを特徴とする請求項１に記載の支承装置。
【請求項６】
異なる抵抗モーメントを有するレール部分のための支持ポイントは、異なる剛性を備えた中間プレート（２４，７２，１１６）を有することを特徴とする請求項１乃至５のいずれか１つに記載の支承装置。
【国際調査報告】
2004510081.tif 000023
2004510081.tif 000024
2004510081.tif 000025
2004510081.tif 000026